(57)【要約】【課題】電圧検出方式により操作スイッチの操作状態を判別するものでありながら、操作状態の誤判別を起こし難くすることが容易となる電気機器を提供する。【解決手段】複数種の異なる操作状態の何れかに操作される操作部と、前記操作状態ごとに、異なる値の電圧を発生させる電圧発生回路と、前記電圧の値である参照電圧値を検出する電圧値検出部と、を備え、前記操作状態の各々に対して、電圧割当幅が設定され、前記参照電圧値が何れの前記電圧割当幅に属しているかに応じて、前記操作状態を判別する電気機器であって、新たな前記電圧割当幅を決定し、前記電圧割当幅の設定を更新する割当幅更新部を備え、前記割当幅更新部は、前記操作状態ごとの前記参照電圧値の情報である電圧値情報を取得し、前記電圧値情報に基づいて前記電圧割当幅を決定する電気機器とする。【選択図】図４
2014044578.tif 000002
【特許請求の範囲】
【請求項１】
複数種の異なる操作状態の何れかに操作される操作部と、
前記操作状態ごとに、異なる値の電圧を発生させる電圧発生回路と、
前記電圧の値である参照電圧値を検出する電圧値検出部と、を備え、
前記操作状態の各々に対して、電圧割当幅が設定され、
前記参照電圧値が何れの前記電圧割当幅に属しているかに応じて、前記操作状態を判別する電気機器であって、
新たな前記電圧割当幅を決定し、前記電圧割当幅の設定を更新する割当幅更新部を備え、
前記割当幅更新部は、
前記操作状態ごとの前記参照電圧値の情報である電圧値情報を取得し、前記電圧値情報に基づいて前記電圧割当幅を決定することを特徴とする電気機器。
【請求項２】
前記電圧発生回路は、
分圧抵抗を用いて定電圧を分圧する分圧回路を有し、前記操作状態ごとに、前記分圧の比が異なるように形成されており、
前記電圧値検出部は、
前記分圧により得られる電圧の値を、前記参照電圧値として検出することを特徴とする請求項１に記載の電気機器。
【請求項３】
前記割当幅更新部は、前記操作状態のうちの少なくとも一つである着目操作状態に対する前記電圧割当幅を、
前記着目操作状態での前記参照電圧値である着目値と、
前記電圧値情報に含まれる値のうち、前記着目値の次に小さい値である直近下位値と、
前記電圧値情報に含まれる値のうち、前記着目値の次に大きい値である直近上位値と、
の各情報に基づいて決定することを特徴とする請求項２に記載の電気機器。
【請求項４】
前記割当幅更新部は、
前記着目操作状態に対する前記電圧割当幅を、下限閾値から上限閾値までの範囲として決定するものであり、
前記下限閾値は、
前記着目値と前記直近下位値の間における中央の値であり、
前記上限閾値は、
前記着目値と前記直近上位値の間における中央の値であることを特徴とする請求項３に記載の電気機器。
【請求項５】
複数種の異なる操作状態の何れかに操作される操作部と、
分圧抵抗を用いて定電圧を分圧する分圧回路を有し、前記操作状態ごとに、前記分圧の比が異なるように形成されている電圧発生回路と、
前記分圧により得られる電圧の値である参照電圧値を検出する電圧値検出部と、
を備え、
前記操作状態の各々に対して、電圧割当幅が設定され、
前記参照電圧値が何れの前記電圧割当幅に属しているかに応じて、前記操作状態を判別する電気機器であって、
前記分圧抵抗の現在の抵抗値に応じて新たな前記電圧割当幅を決定し、前記電圧割当幅の設定を更新することを特徴とする電気機器。
【請求項６】
前記操作部は、
第１操作スイッチから第Ｎ（Ｎ≧２）操作スイッチのＮ個の操作スイッチを有し、
Ｎ個の前記操作スイッチのうちの何れか一つが操作されている状態、および、何れの前記操作スイッチも操作されていない状態、のうちの何れかの操作状態に操作されることを特徴とする請求項２から請求項５の何れかに記載の電気機器。
【請求項７】
前記分圧回路は、
前記分圧抵抗を構成する抵抗として、少なくとも第１抵抗から第Ｎ抵抗のＮ個の抵抗を有し、所定電圧に維持される第１電圧点が、第１抵抗から第Ｎ抵抗の各抵抗を順に介して所定の定点に接続された形態となっており、
第Ｋ（１≦Ｋ≦Ｎ−１）操作スイッチが操作されている時には、第Ｋ抵抗と第Ｋ＋１抵抗の接続点が、第１電圧点より低い電圧に維持される第２電圧点に接続され、
第Ｎ操作スイッチが操作されている時には、前記定点が第２電圧点に接続され、
前記電圧値検出部は、
第１抵抗と第２抵抗の接続点の電圧の値を、前記参照電圧値として検出することを特徴とする請求項６に記載の電気機器。
【請求項８】
請求項７に記載の電気機器であって、
第２電圧点は、前記電気機器における接地点であることを特徴とする電気機器。
【発明の詳細な説明】
【技術分野】
【０００１】
本発明は、操作手段を有する電気機器に関する。
【背景技術】
【０００２】
従来、操作スイッチ等の操作状態に応じて動作する電気機器が広く利用されている。このような電気機器によれば、ユーザは操作スイッチ等を適宜操作することにより、自分の意図を電気機器の動作に反映させることが可能である。
【０００３】
また操作状態を判別するための方式としては、電圧検出方式などが挙げられる。この電圧検出方式は、分圧回路などを利用して操作状態ごとに異なる電圧が生成されるようにしておき、この電圧の値の検出結果に基づいて、操作状態を判別する方式である。
【０００４】
より具体的に説明すると、操作状態の各々に対しては、所定の電圧値の幅（電圧割当幅）が予め固定値として設定されている。そして検出された電圧値が電圧割当幅の何れに属しているかに応じて、操作状態が判別される。
【先行技術文献】
【特許文献】
【０００５】
【特許文献１】特開２０１２−０２２５４３号公報
【発明の概要】
【発明が解決しようとする課題】
【０００６】
先述した電圧割当幅は、通常、操作状態の誤判別が出来るだけ回避されるように、ある程度の余裕幅を持つように設定される。例えば、ある操作スイッチの操作時に電圧Ｖαが検出されると見込まれる場合、当該操作スイッチの操作に対する電圧割当幅は、電圧Ｖαを基準として上側と下側にある程度の余裕幅を持つように設定される。これにより、実際に検出された電圧値が電圧Ｖαからずれていても、この余裕幅に収まっていれば、操作状態を正しく判別することが可能である。
【０００７】
しかし電気機器の品質のバラつきや使用による劣化等により、例えば、分圧抵抗の実際の抵抗値が規格上の抵抗値からずれることがある。このような場合、各操作状態において検出される電圧値も、本来見込まれている電圧値からずれることになる。その結果、当初に設定されていた電圧割当幅では余裕幅が不足してしまい、操作状態の誤判別が起き易くなる虞がある。
【０００８】
本発明は上述した問題点に鑑み、電圧検出方式により操作状態を判別するものでありながら、操作状態の誤判別を起こし難くすることが容易となる電気機器の提供を目的とする。
【課題を解決するための手段】
【０００９】
本発明に係る電気機器は、複数種の異なる操作状態の何れかに操作される操作部と、前記操作状態ごとに、異なる値の電圧を発生させる電圧発生回路と、前記電圧の値である参照電圧値を検出する電圧値検出部と、を備え、前記操作状態の各々に対して、電圧割当幅が設定され、前記参照電圧値が何れの前記電圧割当幅に属しているかに応じて、前記操作状態を判別する電気機器であって、新たな前記電圧割当幅を決定し、前記電圧割当幅の設定を更新する割当幅更新部を備え、前記割当幅更新部は、前記操作状態ごとの前記参照電圧値の情報である電圧値情報を取得し、前記電圧値情報に基づいて前記電圧割当幅を決定する構成とする。
【００１０】
本構成によれば、電圧検出方式により操作状態を判別するものでありながら、操作状態の誤判別を起こし難くすることが容易となる。
【００１１】
また上記構成において、前記電圧発生回路は、分圧抵抗を用いて定電圧を分圧する分圧回路を有し、前記操作状態ごとに、前記分圧の比が異なるように形成されており、前記電圧値検出部は、前記分圧により得られる電圧の値を、前記参照電圧値として検出する構成としてもよい。
【００１２】
本構成によれば、分圧回路の利用により、操作状態ごとに異なる値の電圧を発生させることが容易となる。
【００１３】
また上記構成としてより具体的には、前記割当幅更新部は、前記操作状態のうちの少なくとも一つである着目操作状態に対する前記電圧割当幅を、前記着目操作状態での前記参照電圧値である着目値と、前記電圧値情報に含まれる値のうち、前記着目値の次に小さい値である直近下位値と、前記電圧値情報に含まれる値のうち、前記着目値の次に大きい値である直近上位値と、の各情報に基づいて決定する構成としてもよい。
【００１４】
また上記構成において、前記割当幅更新部は、前記着目操作状態に対する前記電圧割当幅を、下限閾値から上限閾値までの範囲として決定するものであり、前記下限閾値は、前記着目値と前記直近下位値の間における中央の値であり、前記上限閾値は、前記着目値と前記直近上位値の間における中央の値である構成としてもよい。
【００１５】
本構成によれば、何れの操作状態に対しても満遍なく誤判別を起こし難くする観点から、電圧割当幅を適切に決定することが可能となる。
【００１６】
また本発明に係る電気機器は、複数種の異なる操作状態の何れかに操作される操作部と、分圧抵抗を用いて定電圧を分圧する分圧回路を有し、前記操作状態ごとに、前記分圧の比が異なるように形成されている電圧発生回路と、前記分圧により得られる電圧の値である参照電圧値を検出する電圧値検出部と、を備え、前記操作状態の各々に対して、電圧割当幅が設定され、前記参照電圧値が何れの前記電圧割当幅に属しているかに応じて、前記操作状態を判別する電気機器であって、前記分圧抵抗の現在の抵抗値に応じて新たな前記電圧割当幅を決定し、前記電圧割当幅の設定を更新する構成とする。
【００１７】
本構成によれば、電圧検出方式により操作状態を判別するものでありながら、操作状態の誤判別を起こし難くすることが容易となる。
【００１８】
また上記構成としてより具体的には、前記操作部は、第１操作スイッチから第Ｎ（Ｎ≧２）操作スイッチのＮ個の操作スイッチを有し、Ｎ個の前記操作スイッチのうちの何れか一つが操作されている状態、および、何れの前記操作スイッチも操作されていない状態、のうちの何れかの操作状態に操作される構成としてもよい。
【００１９】
また上記構成としてより具体的には、前記分圧回路は、前記分圧抵抗を構成する抵抗として、少なくとも第１抵抗から第Ｎ抵抗のＮ個の抵抗を有し、所定電圧に維持される第１電圧点が、第１抵抗から第Ｎ抵抗の各抵抗を順に介して所定の定点に接続された形態となっており、第Ｋ（１≦Ｋ≦Ｎ−１）操作スイッチが操作されている時には、第Ｋ抵抗と第Ｋ＋１抵抗の接続点が、第１電圧点より低い電圧に維持される第２電圧点に接続され、第Ｎ操作スイッチが操作されている時には、前記定点が第２電圧点に接続され、前記電圧値検出部は、第１抵抗と第２抵抗の接続点の電圧の値を、前記参照電圧値として検出する構成としてもよい。
【００２０】
また上記構成の電気機器としてより具体的には、第２電圧点は、前記電気機器における接地点である構成としてもよい。
【発明の効果】
【００２１】
本発明に係る電気機器よれば、電圧検出方式により操作状態を判別するものでありながら、操作状態の誤判別を起こし難くすることが容易となる。
【図面の簡単な説明】
【００２２】
【図１】本発明の実施形態に係るディスク再生装置のブロック図
【図２】操作部の構成に関する説明図である。
【図３】電圧割当幅の情報に関する説明図である。
【図４】割当幅更新動作に関するフローチャートである。
【図５】割当幅更新動作に関する表示についての説明図である。
【図６】割当幅更新動作に関する表示についての説明図である。
【図７】割当幅更新動作に関する表示についての説明図である。
【図８】割当幅更新動作に関する表示についての説明図である。
【図９】余裕幅に関する説明図である。
【図１０】電圧割当幅の更新の具体例に関する説明図である。
【図１１】電圧割当幅の更新の具体例に関する説明図である。
【図１２】電圧割当幅の更新の具体例に関する説明図である。
【発明を実施するための形態】
【００２３】
本発明の実施形態について各図面を参照しながら以下に説明する。なお本実施形態では電気機器の一例としてディスク再生機器を挙げるが、電気機器の種類はこれに限られるものではない。
【００２４】
［ディスク再生機器の構成および動作概略］
図１は、本実施形態に係るディスク再生機器１のブロック図である。本図に示すようにディスク再生機器１は、光ピックアップ部２、信号処理部３、操作部４、表示部５、および制御部６などを備えている。
【００２５】
光ピックアップ部２は、レーザダイオードや各種の光学部品等により構成されており、光ディスクの情報記録面（映像や音声の情報が記録されている）にレーザ光を当て、その反射光に応じた電気信号を信号処理部３に送出する。これにより、光ディスクからの情報読取が実現される。
【００２６】
信号処理部３は、光ピックアップ部２から伝送された電気信号に各種の処理（復調処理など）を施し、当該電気信号に基づいた映像信号および音声信号を生成する。生成された信号は、例えば外部のディスプレイやスピーカに出力され、映像表示や音声出力に用いられる。なお映像信号および音声信号を生成する処理などは、再生開始の指示に応じて実行され、再生停止の指示に応じて停止されるようになっていても良い。
【００２７】
操作部４は、操作スイッチとして第１パネルキーＰｋ１、第２パネルキーＰｋ２、および第３パネルキーＰｋ３（以下、これらを「パネルキーＰｋ」と総称することがある）を有しており、ユーザによる各種の操作指示を受け付ける役割を果たす。ユーザによる操作指示は制御部６へ伝えられ、ディスク再生装置１の動作に反映される。
【００２８】
なお各パネルキーＰｋには、ディスク再生機器１に対する何らかの指示が割り当てられている。一例としては、第１パネルキーＰｋ１には「電源のＯＮ／ＯＦＦ切替」の指示、第２パネルキーＰｋ２には「再生開始」の指示、第３パネルキーＰｋ３には「再生停止」の指示が、それぞれ割り当てられている。
【００２９】
図２は、操作部４におけるパネルキーＰｋ周辺の構成図である。本図に示すように操作部４は、各パネルキーＰｋの他、定電圧源Ｖｓ、第１抵抗Ｒ１、第２抵抗Ｒ２、および第３抵抗Ｒ３などを有している。
【００３０】
定電圧源Ｖｓは、所定の定電圧（本実施形態では、３．３Ｖ）に維持される。また第１抵抗Ｒ１、第２抵抗Ｒ２、および第３抵抗Ｒ３は、それぞれ規格抵抗値（規格上の抵抗値）が定められている抵抗素子である。すなわちこれらの抵抗（Ｒ１〜Ｒ３）は、抵抗値がその規格抵抗値に一致することを目標として設計・製造されている。但し、これらの抵抗（Ｒ１〜Ｒ３）については、品質のバラつきや使用による劣化等が生じることもあり、実際の抵抗値は規格抵抗値からずれることがある。
【００３１】
第１抵抗Ｒ１は、一端が定電圧源Ｖｓに接続されており、他端が第２抵抗Ｒ２の一端に接続されている。また第２抵抗Ｒ２の他端は、第３抵抗の一端に接続されている。また第３抵抗Ｒ３の他端は、所定の定点Ｐに接続されている。
【００３２】
また第１抵抗Ｒ１と第２抵抗Ｒ２の接続点は、第１パネルキーＰｋ１を介して、接地点ＧＮＤ（本実施形態では、０Ｖに維持される）に接続されている。なお接地点ＧＮＤは、ディスク再生機器１における各回路に共通の接地点であっても良い。また第２抵抗Ｒ２と第３抵抗Ｒ３の接続点は、第２パネルキーＰｋ２を介して、接地点ＧＮＤに接続されている。また定点Ｐは、第３パネルキーＰｋ３を介して、接地点ＧＮＤに接続されている。
【００３３】
なお各パネルキーＰｋは、ユーザ等によって操作されていない（押下されていない）ときには両端間を遮断し、ユーザ等によって操作されている（押下されている）ときには両端間を導通させる。そのため、第１パネルキーＰｋ１が操作されているときには、第１抵抗Ｒ１と第２抵抗Ｒ２の接続点は接地点ＧＮＤに接続される。また第２パネルキーＰｋ２が操作されているときには、第２抵抗Ｒ２と第３抵抗Ｒ３の接続点は接地点ＧＮＤに接続される。また第３パネルキーＰｋ３が操作されているときには、第３抵抗の他端が接地点ＧＮＤに接続される。
【００３４】
また第１抵抗Ｒ１と第２抵抗Ｒ２の接続点は、マイコンＩＣ６１に接続されている。これにより、第１抵抗Ｒ１と第２抵抗Ｒ２の接続点の電圧値である参照電圧値Ｖａが、マイコンＩＣ６１に入力される。マイコンＩＣ６１は、参照電圧値Ｖａを測定する機能を有しており、参照電圧値Ｖａを継続的に検出することが可能である。
【００３５】
上述の通り操作部４は、定電圧源Ｖｓと接地点ＧＮＤの間の電圧（３．３Ｖの定電圧）を、第１分圧抵抗と第２分圧抵抗を用いて分圧する分圧回路を有し、各パネルキーＰｋの操作状態ごとに、分圧の比が異なるよう形成されている。そしてこの分圧により得られる電圧の値が、参照電圧値Ｖａとなるように設定されている。
【００３６】
より具体的に説明すると、第１パネルキーＰｋ１の操作時には、第１抵抗Ｒ１が第１分圧抵抗に該当し、抵抗Ａが第２分圧抵抗に該当する。なお抵抗Ａは、第１抵抗Ｒ１に比べて十分に小さい抵抗値の潜在的な抵抗である。本願ではこのような形態も分圧に含まれるものとする。
【００３７】
また第２パネルキーＰｋ２の操作時には、第１抵抗Ｒ１が第１分圧抵抗に該当し、第２抵抗Ｒ２が第２分圧抵抗に該当する。また第３パネルキーＰｋ３の操作時には、第１抵抗Ｒ１が第１分圧抵抗に該当し、第２抵抗Ｒ２と第３抵抗Ｒ３を合わせたものが第２分圧抵抗に該当する。
【００３８】
また何れのパネルキーＰｋも操作されていない時には、第１抵抗Ｒ１が第１分圧抵抗に該当し、抵抗Ｂが第２分圧抵抗に該当する。なお抵抗Ｂは、第１抵抗Ｒ１に比べて十分に大きい抵抗値の潜在的な抵抗である。本願ではこのような形態も分圧に含まれるものとする。上述したように、パネルキーＰｋの操作状態ごとに第２分圧抵抗が異なるため、分圧の比が異なることになる。そのため、パネルキーＰｋの操作状態ごとに、参照電圧値Ｖａは異なることになる。
【００３９】
なお図２に示す回路構成は、３個のパネルキーＰｋ（操作スイッチの一形態）が設けられている場合の構成である。このような場合に限られず、第１操作スイッチから第Ｎ（Ｎ≧２）操作スイッチのＮ個の操作スイッチが設けられる様々な場合において、これに準じた回路構成を実現させることが可能である。
【００４０】
この場合には、分圧回路は、分圧抵抗を構成する抵抗として第１抵抗から第Ｎ抵抗のＮ個の抵抗を有し、定電圧源Ｖｓが第１抵抗から第Ｎ抵抗の各抵抗を順に介して定点Ｐに接続された形態とされる。また第Ｋ（１≦Ｋ≦Ｎ−１）操作スイッチが操作されている時には、第Ｋ抵抗と第Ｋ＋１抵抗の接続点が接地点ＧＮＤに接続され、第Ｎ操作スイッチが操作されている時には、定点Ｐが接地点ＧＮＤに接続される。更にマイコンＩＣ６１（電圧値検出部）は、第１抵抗と第２抵抗の接続点の電圧の値を、参照電圧値Ｖａとして検出する。
【００４１】
ここで図１に戻り、表示部５は、ディスプレイを有しており、制御部６の指示に応じて各種情報を表示する。また制御部６は、ディスク再生機器１の各種動作制御を行うマイコンＩＣ６１、およびフラッシュメモリ６２等を有している。フラッシュメモリ６２は、各種情報を書換え可能かつ不揮発的に記憶することが可能であり、マイコンＩＣ６１によって情報の読出しや書込みが行われる。
【００４２】
フラッシュメモリ６２は、各種情報の一つとして、各パネルキーＰｋに対する電圧割当幅の情報を記憶する。電圧割当幅は、各パネルキーＰｋの操作および無操作の各々に割当てられた電圧値の幅（取り幅）である。
【００４３】
後述するように、参照電圧値Ｖａがこれらの電圧割当幅のうちの何れに属しているかに応じて、パネルキーＰｋの操作状態が判別されることになる。なおパネルキーＰｋの操作状態の種類には、第１パネルキーＰｋ１が操作されている状態（第１パネルキーＰｋ１の操作）、第２パネルキーＰｋ２が操作されている状態（第２パネルキーＰｋ２の操作）、第３パネルキーＰｋ３が操作されている状態（第３パネルキーＰｋ３の操作）、および何れのパネルキーＰｋも操作されていない状態（無操作）がある。
【００４４】
図３は、フラッシュメモリ６２が記憶する電圧割当幅の情報の一例を、概略的に示している。図３に示す内容によれば、第１パネルキーＰｋ１の操作に対する電圧割当幅（以下、「第１電圧割当幅Ｅ１」と称する）は「０．０Ｖ〜０．５Ｖ」の範囲である。また第２パネルキーＰｋ２の操作に対する電圧割当幅（以下、「第２電圧割当幅Ｅ２」と称する）は「０．５Ｖ〜１．５Ｖ」の範囲である。また第３パネルキーＰｋ３の操作に対する電圧割当幅（以下、「第３電圧割当幅Ｅ３」と称する）は「１．５Ｖ〜２．６５Ｖ」の範囲である。また無操作に対する電圧割当幅（以下、「第４電圧割当幅Ｅ４」と称する）は「２．６５Ｖ〜３．３Ｖ」の範囲である。
【００４５】
なお、第１電圧割当幅Ｅ１と、第２電圧割当幅Ｅ２とを分ける閾値は「０．５Ｖ」である。この「０．５Ｖ」は、第１電圧割当幅Ｅ１に属するものとしても良く、第２電圧割当幅Ｅ２に属するものとしても良い。また第２電圧割当幅Ｅ２と、第３電圧割当幅Ｅ３とを分ける閾値は「１．５Ｖ」である。この「１．５Ｖ」は、第２電圧割当幅Ｅ２に属するものとしても良く、第３電圧割当幅Ｅ３に属するものとしても良い。また第３電圧割当幅Ｅ３と、第４電圧割当幅Ｅ４とを分ける閾値は「２．６５Ｖ」である。この「２．６５Ｖ」は、第３電圧割当幅Ｅ３に属するものとしても良く、第４電圧割当幅Ｅ４に属するものとしても良い。
【００４６】
マイコンＩＣ６１は、参照電圧値Ｖａを継続的に検出し、フラッシュメモリ６２に現在記憶されている（換言すれば、ディスク再生機器１に現在設定されている）各電圧割当幅（Ｅ１〜Ｅ４）の情報を用いて、各パネルキーＰｋの操作状態を判別する。
【００４７】
より具体的に説明すると、マイコンＩＣ６１は、参照電圧値Ｖａが第１電圧割当幅Ｅ１に属しているときに、第１パネルキーＰｋ１が操作されていると判別する。またマイコンＩＣ６１は、参照電圧値Ｖａが第２電圧割当幅Ｅ２に属しているときに、第２パネルキーＰｋ２が操作されていると判別する。またマイコンＩＣ６１は、参照電圧値Ｖａが第３電圧割当幅Ｅ３に属しているときに、第３パネルキーＰｋ３が操作されていると判別する。またマイコンＩＣ６１は、参照電圧値Ｖａが第４電圧割当幅Ｅ４に属しているときに、何れのパネルキーＰｋも操作されていないと判別する。
【００４８】
そしてマイコンＩＣ６１は、何れかのパネルキーＰｋが操作されていることを判別すると、そのパネルキーＰｋに割当てられている指示に従って、ディスク再生機器１の動作を制御する。
【００４９】
［電圧割当幅の更新動作］
マイコンＩＣ６１は、例えばユーザ等による指示に応じて、各電圧割当幅（Ｅ１〜Ｅ４）を更新する動作（以下、「割当幅更新動作」と称する）を実行する。割当幅更新動作の内容について、図４に示すフローチャートを参照しながら以下に説明する。
【００５０】
まずマイコンＩＣ６１は、第１パネルキーＰｋ１の操作を待機する（ステップＳ１）。このとき図５に示すように、表示部５において、ユーザに第１パネルキーＰｋ１の操作を促すための表示が行われるようにしても良い。
【００５１】
当該待機中に第１パネルキーＰｋ１が操作されると（ステップＳ１のＹ）、マイコンＩＣ６１は、当該操作中の参照電圧値Ｖａを検出する（ステップＳ２）。これにより、第１パネルキーＰｋ１が操作されているときの参照電圧値Ｖａ（以下、「第１参照電圧値Ｖａ１」と称することがある）の情報が得られる。
【００５２】
次にマイコンＩＣ６１は、第２パネルキーＰｋ２の操作を待機する（ステップＳ３）。このとき図６に示すように、表示部５において、ユーザに第２パネルキーＰｋ２の操作を促すための表示が行われるようにしても良い。
【００５３】
当該待機中に第２パネルキーＰｋ２が操作されると（ステップＳ３のＹ）、マイコンＩＣ６１は、当該操作中の参照電圧値Ｖａを検出する（ステップＳ４）。これにより、第２パネルキーＰｋ２が操作されているときの参照電圧値Ｖａ（以下、「第２参照電圧値Ｖａ２」と称することがある）の情報が得られる。
【００５４】
次にマイコンＩＣ６１は、第３パネルキーＰｋ３の操作を待機する（ステップＳ５）。このとき図７に示すように、表示部５において、ユーザに第３パネルキーＰｋ３の操作を促すための表示が行われるようにしても良い。
【００５５】
当該待機中に第３パネルキーＰｋ３が操作されると（ステップＳ５のＹ）、マイコンＩＣ６１は、当該操作中の参照電圧値Ｖａを検出する（ステップＳ６）。これにより、第３パネルキーＰｋ３が操作されているときの参照電圧値Ｖａ（以下、「第３参照電圧値Ｖａ３」と称することがある）の情報が得られる。
【００５６】
更にマイコンＩＣ６１は、何れのパネルキーＰｋも操作されていないときの参照電圧値Ｖａを検出する（ステップＳ７）。これにより、何れのパネルキーＰｋも操作されていないときの参照電圧値Ｖａ（以下、「第４参照電圧値Ｖａ４」と称することがある）の情報が得られる。なおステップＳ７の動作は、このタイミングに限らず、何れのパネルキーＰｋも操作されていない他のタイミングで行われるようにしても良い。
【００５７】
ステップＳ１〜Ｓ７の動作により、各検出結果の情報として、第１〜第４参照電圧値（Ｖａ１〜Ｖａ４）の情報を含む電圧値情報が得られることになる。そこでマイコンＩＣ６１は、この電圧値情報を用いて、パネルキーＰｋの各操作状態に対する電圧割当幅を決定する（ステップＳ８）。当該決定の手法について、以下に具体的に説明する。
【００５８】
第１電圧割当幅Ｅ１は、第１下限閾値から第１上限閾値までの範囲として決められる。なお参照電圧値Ｖａの最小値は通常０Ｖ（接地点ＧＮＤの電圧）であるため、第１下限閾値は０Ｖに決められる。第１上限閾値は、第１参照電圧値Ｖａ１と第２参照電圧値Ｖａ２の間における中央の値に決められる。すなわち第１上限閾値は（Ｖａ１＋Ｖａ２）／２の値に決められる。
【００５９】
また第２電圧割当幅Ｅ２は、第２下限閾値から第２上限閾値までの範囲として決められる。第２下限閾値は、第２参照電圧値Ｖａ２（着目値）と第１参照電圧値Ｖａ１（電圧値情報に含まれる値のうち、着目値の次に小さい値）の間における中央の値に決められる。第２上限閾値は、第２参照電圧値Ｖａ２（着目値）と第３参照電圧値Ｖａ３（電圧値情報に含まれる値のうち、着目値の次に大きい値）の間における中央の値に決められる。すなわち第２下限閾値は（Ｖａ１＋Ｖａ２）／２の値に決められ、第２上限閾値は（Ｖａ２＋Ｖａ３）／２の値に決められる。
【００６０】
また第３電圧割当幅Ｅ３は、第３下限閾値から第３上限閾値までの範囲として決められる。第３下限閾値は、第３参照電圧値Ｖａ３（着目値）と第２参照電圧値Ｖａ２（電圧値情報に含まれる値のうち、着目値の次に小さい値）の間における中央の値に決められる。第３上限閾値は、第３参照電圧値Ｖａ３（着目値）と第４参照電圧値Ｖａ４（電圧値情報に含まれる値のうち、着目値の次に大きい値）の間における中央の値に決められる。すなわち第３下限閾値は（Ｖａ２＋Ｖａ３）／２の値に決められ、第２上限閾値は（Ｖａ３＋Ｖａ４）／２の値に決められる。
【００６１】
また第４電圧割当幅Ｅ４は、第４下限閾値から第４上限閾値までの範囲として決められる。第４下限閾値は、第４参照電圧値Ｖａ４と第３参照電圧値Ｖａ３の間における中央の値に決められる。すなわち第４下限閾値は（Ｖａ３＋Ｖａ４）／２の値に決められる。なお参照電圧値Ｖａの最大値は通常３．３Ｖ（定電圧源Ｖｓの電圧）であるため、第４上限閾値は３．３Ｖに決められる。
【００６２】
なおステップＳ８の動作においては、第１上限閾値と第２下限閾値は一致し、第２上限閾値と第３下限閾値は一致し、第３上限閾値と第４下限閾値は一致することになる。そのため一致する値同士の一方が既に算出されていれば、他方を算出する必要はない。
【００６３】
またステップＳ８の動作によれば、各電圧割当幅は、現在の各抵抗（Ｒ１〜Ｒ３）の抵抗値等に応じて、適切な余裕幅を有するように決定される。なお余裕幅については、改めて詳細に説明する。
【００６４】
マイコンＩＣ６１は、パネルキーＰｋの各操作状態に対する電圧割当幅（Ｅ１〜Ｅ４）を決定すると、フラッシュメモリ６２に記憶されている電圧割当幅（Ｅ１〜Ｅ４）の情報を、今回新たに決定された内容に更新させる。このようにして、パネルキーＰｋの各操作状態に対する電圧割当幅（Ｅ１〜Ｅ４）の設定が更新され（ステップＳ９）、割当幅更新動作は終了する。なおこのとき図８に示すように、表示部５において、検出された各参照電圧値（Ｖａ１〜Ｖａ４）や更新後の各電圧割当幅（Ｅ１〜Ｅ４）をユーザに知らせるための表示が行われるようにしても良い。
【００６５】
［電圧割当幅における余裕幅について］
次に、電圧割当幅における余裕幅について、図９を参照しながら説明する。図９は、各電圧割当幅（Ｅ１〜Ｅ４）、参照電圧値Ｖａの各見込値（Ｄ１〜Ｄ４）、および各余裕幅（α１Ｕ〜α４Ｌ）の関係を模式的に示している。
【００６６】
Ｄ１は、第１パネルキーＰｋ１の操作時における参照電圧値Ｖａの見込値（この値になると見込まれるもの）である。Ｄ２は、第２パネルキーＰｋ２の操作時における参照電圧値Ｖａの見込値である。Ｄ３は、第３パネルキーＰｋ３の操作時における参照電圧値Ｖａの見込値である。Ｄ４は、無操作時における参照電圧値Ｖａの見込値である。
【００６７】
α１Ｕは、第１電圧割当幅Ｅ１の上側の余裕幅（Ｄ１からＥ１の上限までの範囲）である。またα２Ｌは、第２電圧割当幅Ｅ２の下側の余裕幅（Ｅ２の下限からＤ２までの範囲）である。またα２Ｕは、第２電圧割当幅Ｅ２の上側の余裕幅（Ｄ２からＥ２の上限までの範囲）である。またα３Ｌは、第３電圧割当幅Ｅ３の下側の余裕幅（Ｅ３の下限からＤ３までの範囲）である。またα３Ｕは、第３電圧割当幅Ｅ３の上側の余裕幅（Ｄ３からＥ３の上限までの範囲）である。またα４Ｌは、第４電圧割当幅Ｅ４の下側の余裕幅（Ｅ４の下限からＤ４までの範囲）である。
【００６８】
余裕幅が広いほど、参照電圧値Ｖａの検出誤差がより十分に吸収される。例えば第２パネルキーＰｋ２の操作時においては、実際に検出される参照電圧値Ｖａが見込値Ｄ２からずれていても、その余裕幅であるα２Ｌ或いはα２Ｕの中に収まっていれば、操作状態が正しく判別される。各電圧割当幅については通常、余裕幅が広いほど、パネルキーＰｋの操作状態の誤判別が起こり難くなるために望ましいと言える。
【００６９】
また何れの操作状態に対しても満遍なく誤判別を起こし難くするためには、各電圧割当幅に対する余裕幅を出来るだけ均等にすることが望ましい。すなわち、α１Ｕの広さとα２Ｌの広さとの差を出来るだけ小さく（望ましくは一致）させ、α２Ｕの広さとα３Ｌの広さとの差を出来るだけ小さく（望ましくは一致）させ、α３Ｕの広さとα４Ｌの広さとの差を出来るだけ小さく（望ましくは一致）させることが望ましい。ステップ８の動作（図４等を参照）は、先述の説明から明らかであるように、検出された各参照電圧値（Ｖａ１〜Ｖａ４）を各見込値（Ｄ１〜Ｄ４）とみなし、このような主旨に沿って各電圧割当幅（Ｅ１〜Ｅ４）を決定する動作となっている。
【００７０】
［電圧割当幅更新の具体例］
次に、電圧割当幅の更新による利点を理解容易とするため、電圧割当幅の更新に関する具体例を挙げて以下に説明する。
【００７１】
まず更新が行われる前において、各電圧割当幅（Ｅ１〜Ｅ４）が、図１０に示す状態になっているとする。すなわちこの状態では、第１電圧割当幅Ｅ１が「０．０Ｖ〜０．５Ｖ」であり、第２電圧割当幅Ｅ２が「０．５Ｖ〜１．５Ｖ」であり、第３電圧割当幅Ｅ３が「１．５Ｖ〜２．６５Ｖ」であり、第４電圧割当幅Ｅ４が「２．６５Ｖ〜３．３Ｖ」である。
【００７２】
なお先述した各見込値が仮に「Ｄ１＝０．０Ｖ、Ｄ２＝１．０Ｖ、Ｄ３＝２．０Ｖ、Ｄ４＝３．３Ｖ」であるとすると、図１０に示す各電圧割当幅（Ｅ１〜Ｅ４）によれば、各余裕幅の関係は「α１Ｕ＝α２Ｌ、α２Ｕ＝α３Ｌ、α３Ｕ＝α４Ｌ」となる。そのためこの場合には、図１０に示す各電圧割当幅（Ｅ１〜Ｅ４）は望ましい状態であると言える。なお各抵抗（Ｒ１〜Ｒ３）の規格抵抗値などに基づき、ディスク再生機器１の設計段階等において求められた理論値が「Ｄ１＝０．０Ｖ、Ｄ２＝１．０Ｖ、Ｄ３＝２．０Ｖ、Ｄ４＝３．３Ｖ」である場合には、各電圧割当幅（Ｅ１〜Ｅ４）の初期値は図１０に示す状態に設定される。
【００７３】
しかし、例えば品質のバラつきや使用による劣化等により、現状では各見込値が「Ｄ１＝０．１Ｖ、Ｄ２＝１．３Ｖ、Ｄ３＝２．５Ｖ、Ｄ４＝３．３Ｖ」になっていたとする。この場合の各電圧割当幅（Ｅ１〜Ｅ４）、各見込値（Ｄ１〜Ｄ４）、および各余裕幅（α１Ｕ〜α４Ｌ）の関係は、図１１に示す通りとなる。
【００７４】
図１１に示すように、この場合には、余裕幅α２Ｕや余裕幅α３Ｕが比較的狭くなっている。そのため、第２パネルキーＰｋ２や第３パネルキーＰｋ３に関しては、操作の誤判別が比較的起き易くなっていると言える。
【００７５】
ここで図１１に示す状況下において、先述した割当幅更新動作が実行されると、ステップＳ１〜Ｓ７の動作により、第１参照電圧値Ｖａ１が「０．１Ｖ」、第２参照電圧値Ｖａ２が「１．３Ｖ」、第３参照電圧値Ｖａ３が「２．５Ｖ」、第４参照電圧値Ｖａ４が「３．３Ｖ」として、それぞれ検出される。
【００７６】
そして更にステップＳ８およびＳ９の動作により、第１電圧割当幅Ｅ１は「０．０Ｖ〜０．７Ｖ」の範囲に、第２電圧割当幅Ｅ２は「０．７Ｖ〜１．９Ｖ」の範囲に、第３電圧割当幅Ｅ３は「１．９Ｖ〜２．９Ｖ」の範囲に、第４電圧割当幅Ｅ４は「２．９Ｖ〜３．９Ｖ」の範囲にそれぞれ決定され、各電圧割当幅（Ｅ１〜Ｅ４）の設定がこの内容に更新される。
【００７７】
その結果、各電圧割当幅（Ｅ１〜Ｅ４）、各見込値（Ｄ１〜Ｄ４）、および各余裕幅（α１Ｕ〜α４Ｌ）の関係は、図１２に示す通りとなる。図１２に示すように、更新後の各電圧割当幅（Ｅ１〜Ｅ４）によれば、各余裕幅の関係は「α１Ｕ＝α２Ｌ、α２Ｕ＝α３Ｌ、α３Ｕ＝α４Ｌ」となっており、何れの操作状態に対しても満遍なく誤判別を起こし難くする観点から、望ましい状態であると言える。つまり割当幅更新動作が実行されることにより、このような観点から、各電圧割当幅（Ｅ１〜Ｅ４）が適正化されるようになっている。
【００７８】
また上述した電圧割当幅の更新は、様々な場面で有効に利用され得る。例えば、製品（ディスク再生機器１）の出荷前において、検査員等が、この製品に割当幅更新動作を実行させることが出来る。これにより、製造時の品質バラツキ等（特に、各抵抗（Ｒ１〜Ｒ３）における抵抗値のバラつき）があっても、各電圧割当幅（Ｅ１〜Ｅ４）を適正化しておくことが可能である。
【００７９】
また例えば、ディスク再生機器１がユーザの手に渡った後、ユーザが、このディスク再生機器１に割当幅更新動作を適宜実行させることが出来る。これにより、使用による劣化等（特に、各抵抗（Ｒ１〜Ｒ３）における抵抗値の変動）があっても、その都度、各電圧割当幅（Ｅ１〜Ｅ４）を適正化することが可能である。
【００８０】
また電圧割当幅の更新は、例えば一定期間ごとに、自動的に実行されるようにしても良い。このようにすれば、各電圧割当幅をその都度、自動的に適正化することが可能である。なおこのような場合、割当幅更新動作（ステップＳ１〜Ｓ９）がそのまま行われるようにしても良いが、過去の各参照電圧値（Ｖａ１〜Ｖａ４）を利用してステップＳ１〜Ｓ７の動作が省略されるようにしても良い。
【００８１】
つまり、パネルキーＰｋの操作状態ごとの参照電圧値（Ｖａ１〜Ｖａ４）の履歴情報が、ディスク再生機器１に記録されるようにしておく。そしてマイコンＩＣ６１が、当該履歴情報から例えば過去の直近の各参照電圧値（Ｖａ１〜Ｖａ４）を取得し、この取得した情報に基づいてステップＳ８およびステップＳ９の動作を行うようにする。このようにすれば、ステップＳ１〜Ｓ７の動作を省略することが可能である。
【００８２】
［その他］
以上に説明した通り、ディスク再生機器１は、複数種の異なる操作状態の何れかに操作される操作部と、操作状態ごとに異なる値の電圧を発生させる回路（電圧発生回路）と、前記電圧の値である参照電圧値Ｖａを検出する機能部（電圧値検出部）と、を備えている。そしてディスク再生機器１は、操作状態の各々に対して電圧割当幅（Ｅ１〜Ｅ４）が設定され、参照電圧値Ｖａが何れの電圧割当幅（Ｅ１〜Ｅ４）に属しているかに応じて、操作状態を判別する。
【００８３】
更にディスク再生機器１は、新たな電圧割当幅（Ｅ１〜Ｅ４）を決定し、電圧割当幅（Ｅ１〜Ｅ４）の設定を更新する機能部（割当幅更新部）を備えている。この割当幅更新部は、操作状態ごとの参照電圧値（Ｖａ１〜Ｖａ２）の情報である電圧値情報を取得し、この電圧値情報に基づいて、電圧割当幅（Ｅ１〜Ｅ４）を決定するようになっている。そのためディスク再生機器１によれば、電圧検出方式により操作状態を判別するものでありながら、操作状態の誤判別を起こし難くすることが容易となっている。
【００８４】
また電圧発生回路は、分圧抵抗を用いて定電圧を分圧する分圧回路を有し、操作状態ごとに分圧の比が異なるよう形成されている。そして電圧値検出部は、この分圧により得られる電圧の値を、参照電圧値Ｖａとして検出するようになっている。
【００８５】
なお参照電圧値Ｖａは分圧抵抗の抵抗値に依拠しており、通常、参照電圧値Ｖａのバラつきは、主に分圧抵抗の抵抗値のバラつきに起因すると言える。このようなことから割当幅更新部は、分圧抵抗の現在の抵抗値に応じて新たな電圧割当幅を決定するとも言える。
【００８６】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、操作手段を有した各種電気機器に利用することができる。
【符号の説明】
【００８７】
１      ディスク再生機器（電気機器）
２      光ピックアップ部
３      信号処理部
４      操作部
５      表示部
６      制御部
６１    マイコンＩＣ
６２    フラッシュメモリ
Ｐｋ１    第１パネルキー（操作スイッチ）
Ｐｋ２    第２パネルキー（操作スイッチ）
Ｐｋ３    第３パネルキー（操作スイッチ）
Ｒ１    第１抵抗（分圧抵抗の一部）
Ｒ２    第２抵抗（分圧抵抗の一部）
Ｒ３    第３抵抗（分圧抵抗の一部）
Ｖｓ    定電圧源（第１電圧点）
ＧＮＤ  接地点（第２電圧点）
Ｐ      定点
【図１】
2014044578.tif 000003
【図２】
2014044578.tif 000004
【図３】
2014044578.tif 000005
【図４】
2014044578.tif 000006
【図５】
2014044578.tif 000007
【図６】
2014044578.tif 000008
【図７】
2014044578.tif 000009
【図８】
2014044578.tif 000010
【図９】
2014044578.tif 000011
【図１０】
2014044578.tif 000012
【図１１】
2014044578.tif 000013
【図１２】
2014044578.tif 000014